(57)【要約】【課題】マルチキャストまたはブロードキャスト配信サービスを行う無線通信システムにおいて、暗号化情報を配信する際の無線資源の使用効率低下を抑制しつつ、安全性を向上する。【解決手段】情報配信装置から無線通信端末へ配信情報を送信する無線通信方法であって、前記情報配信装置側で、前記配信情報を暗号化するステップと、前記暗号化に使用する暗号化情報を特定の無線通信端末に配信するための、暗号化情報配信用のチャネルを検出するステップと、前記暗号化情報配信用のチャネルを用いて暗号化情報を送信するステップと、前記特定の無線通信端末で、前記暗号化情報配信用のチャネルで暗号化情報を受信するステップと、前記暗号化情報に基づき、暗号化された配信情報を復号するステップとを有する。【選択図】図１
2007180659.tif 000002
【特許請求の範囲】
【請求項１】
情報配信装置から無線通信端末へ配信情報を送信する無線通信方法であって、
前記情報配信装置側で、
前記配信情報を暗号化するステップと、
前記暗号化に使用する暗号化情報を特定の無線通信端末に配信するための、暗号化情報配信用のチャネルを検出するステップと、
前記暗号化情報配信用のチャネルを用いて暗号化情報を送信するステップと、
前記特定の無線通信端末で、
前記暗号化情報配信用のチャネルで暗号化情報を受信するステップと、
前記暗号化情報に基づき、暗号化された配信情報を復号するステップと
を備えることを特徴とする無線通信方法。
【請求項２】
前記情報配信装置側で、
前記無線通信端末からの情報配信要求に基づいて、当該要求をしてきた無線通信端末が特定の無線通信端末か否かを判定するステップと、
前記無線通信端末が特定の無線通信端末であった場合、前記暗号化情報配信用のチャネルの使用を許可するための使用許可情報を、前記特定の無線通信端末に送信するステップと、
前記特定の無線通信端末が、
前記使用許可情報を受信した場合に、暗号化情報配信用のチャネルを検出するステップと、
検出された暗号化情報配信用のチャネルで暗号化情報を受信するステップと、を更に含む、
ことを特徴とする請求項１記載の無線通信方法。
【請求項３】
前記情報配信装置側で、
一定期間で前記暗号化情報を変えるように更新するステップと、  
更新した前記暗号化情報を、特定の無線通信端末へ配信するための新たな暗号化情報配信用のチャネルを検出するステップと、
前記情報配信装置から前記特定の無線通信端末へ、前記更新した暗号化情報を前記検出した暗号化情報配信用のチャネルで配信するステップと、
前記特定の無線通信端末が、
前記暗号化情報配信用のチャネルで、更新された暗号化情報を受信するステップと、
前記更新された暗号化情報に基づいて、暗号化された配信情報を復号するステップと、を更に含む、
ことを特徴とする請求項１または２に記載の無線通信方法。
【請求項４】
前記使用許可情報には所定の有効期限が設定されており、当該有効期限が経過した場合、
前記特定の無線通信端末は、前記暗号化情報配信用のチャネルを検知しないことを特徴とする請求項２または３に記載の無線通信方法。
【請求項５】
前記情報配信装置は、通信状況に応じて前記暗号化情報配信用のチャネルを検出することを特徴とする請求項１〜４のいずれかに記載の無線通信方法。
【請求項６】
無線通信端末に配信情報を送信する情報配信装置であって、
前記配信情報を暗号化する暗号化手段と、
前記暗号化に使用する暗号化情報を特定の無線通信端末に配信するための、暗号化情報配信用のチャネルを検出する暗号化情報配信チャネル検出手段と、
前記暗号化情報配信用のチャネルを用いて暗号化情報を送信する通信制御手段と
を具備することを特徴とする情報配信装置。
【請求項７】
情報配信装置から配信情報を受信することができる無線通信端末であって、
前記情報配信装置から配信される、前記配信情報の暗号化に使用される暗号化情報を、暗号化情報配信用のチャネルで受信する端末側通信制御手段と、
前記暗号化情報に基づき、暗号化された前記配信情報を復号する復号手段と
を備えることを特徴とする無線通信端末。
【発明の詳細な説明】
【技術分野】
【０００１】
本発明は、無線通信方法、情報配信装置及び無線通信端末に関する。
【背景技術】
【０００２】
インターネットにおける映像や音楽等のコンテンツ情報の配信サービスの１つとして、複数のサービス加入者の端末に同一のコンテンツ情報を配信するマルチキャスト配信サービスが知られている。無線通信システムにおけるマルチキャスト配信サービスでは、基地局がマルチキャストチャネルと呼ばれる共通の通信チャネルを用いて、通信エリア内に存在するサービス加入ユーザの端末（例えば携帯電話機等の無線通信端末）に同一のコンテンツ情報を送信するため、基地局−端末間で１対１の通信を行うサービスと比べて無線資源の使用効率が高いという利点がある。なお、同様に共通の通信チャネルであるブロードキャストチャネルを用いて、通信エリア内に存在する不特定多数の端末に対してコンテンツ情報を配信するサービスをブロードキャスト配信サービスという。
【０００３】
上記のように、マルチキャスト配信サービスでは共通の通信チャネルを用いるため、サービスに未加入のユーザであってもコンテンツ情報を受信してしまう、といった状況が起こり得る。この問題を解決するために、例えば、特開２００４−０３２７１１号公報では、共通の通信チャネルでコンテンツ情報を配信する場合に、コンテンツ情報を暗号化し、サービス加入ユーザ（つまり課金ユーザ）のみに暗号を復号するための暗号化情報を配信することで、未加入のユーザがコンテンツ情報を解読できないようにし、サービスの有料化を図る技術が開示されている。
【特許文献１】特開２００４−０３２７１１号公報
【発明の開示】
【発明が解決しようとする課題】
【０００４】
しかしながら、従来のマルチキャスト配信サービスでは同一に暗号化されたコンテンツ情報が配信されるため、悪意の未加入ユーザが暗号化情報を何らかの方法で入手した場合、コンテンツ情報が解読されてしまうことになり、安全上の課題が残る。これを解決するためには、暗号化情報の更新頻度を上げる方法や、課金ユーザ毎にそれぞれ異なる暗号化情報を提供する方法が挙げられるが、これらの方法を採用した場合、基地局と端末間の通信回数が増え、無線資源の使用効率が低下してしまい、マルチキャスト配信サービスの利点が損なわれてしまう。
【０００５】
本発明は、上述した事情に鑑みてなされたものであり、マルチキャストまたはブロードキャスト配信サービスを行う無線通信システムにおいて、暗号化情報を配信する際の無線資源の使用効率低下を抑制しつつ、安全性を向上することを目的とする。    
【課題を解決するための手段】
【０００６】
上記目的を達成するために、本発明では、無線通信方法に係る第１の解決手段として、情報配信装置から無線通信端末へ配信情報を送信する無線通信方法であって、前記情報配信装置側は、前記配信情報を暗号化するステップと、前記暗号化に使用する暗号化情報を特定の無線通信端末に配信するための、暗号化情報配信用のチャネルを検出するステップと、前記暗号化情報配信用のチャネルを用いて暗号化情報を送信するステップと、前記特定の無線通信端末で、前記暗号化情報配信用のチャネルで暗号化情報を受信するステップと、前記暗号化情報に基づき、暗号化された配信情報を復号するステップとを有する、という手段を採用する。
【０００７】
また、本発明では、無線通信方法に係る第２の解決手段として、上記第１の解決手段において、前記情報配信装置側では、前記無線通信端末からの情報配信要求に基づいて、当該要求をしてきた無線通信端末が特定の無線通信端末か否かを判定するステップと、前記無線通信端末が特定の無線通信端末であった場合、前記暗号化情報配信用のチャネルの使用を許可するための使用許可情報を、前記特定の無線通信端末に送信するステップと、前記特定の無線通信端末が、前記使用許可情報を受信した場合に、暗号化情報配信用のチャネルを検出するステップと、検出された暗号化情報配信用のチャネルで暗号化情報を受信するステップと、を更に含む、ことを特徴とする。
【０００８】
また、本発明では、無線通信方法に係る第３の解決手段として、上記第１または２の解
決手段において、前記情報配信装置側では、一定期間で前記暗号化情報を変えるように更新するステップと、更新した前記暗号化情報を、特定の無線通信端末へ配信するための新たな暗号化情報配信用のチャネルを検出するステップと、前記情報配信装置から前記特定の無線通信端末へ、前記更新した暗号化情報を前記検出した暗号化情報配信用のチャネルで配信するステップと、前記特定の無線通信端末が、前記暗号化情報配信用のチャネルで、更新された暗号化情報を受信するステップと、前記更新された暗号化情報に基づいて、暗号化された配信情報を復号するステップと、を更に含む、ことを特徴とする。
【０００９】
また、本発明では、無線通信方法に係る第４の解決手段として、上記第２または３の解決手段において、前記使用許可情報には所定の有効期限が設定されており、当該有効期限が経過した場合、前記特定の無線通信端末は、前記暗号化情報配信用のチャネルを検知しないことを特徴とする。
【００１０】
また、本発明では、無線通信方法に係る第５の解決手段として、上記第１〜４のいずれかの解決手段において、前記情報配信装置は、通信状況に応じて前記暗号化情報配信用のチャネルを検出することを特徴とする。
【００１１】
一方、本発明では、情報配信装置に係る第１の解決手段として、無線通信端末に配信情報を送信する情報配信装置であって、前記配信情報を暗号化する暗号化手段と、前記暗号化に使用する暗号化情報を特定の無線通信端末に配信するための、暗号化情報配信用のチャネルを検出する暗号化情報配信チャネル検出手段と、前記暗号化情報配信用のチャネルを用いて暗号化情報を送信する通信制御手段とを具備する、という手段を採用する。
【００１２】
さらに、本発明では、無線通信端末に係る第１の解決手段として、情報配信装置から配信情報を受信することができる無線通信端末であって、前記情報配信装置から配信される、前記配信情報の暗号化に使用される暗号化情報を、暗号化情報配信用のチャネルで受信する端末側通信制御手段と、前記暗号化情報に基づき、暗号化された前記配信情報を復号する復号手段とを備える、という手段を採用する。
【発明の効果】
【００１３】
本発明によれば、マルチキャストまたはブロードキャスト配信サービスを行う無線通信システムにおいて、暗号化情報を配信する際の無線資源の使用効率の低下を抑制しつつ、安全性を向上することが可能である。
【発明を実施するための最良の形態】
【００１４】
以下、図面を参照して、本発明の一実施形態について説明する。図１は、本発明の実施形態に係るマルチキャスト配信サービスを行うための基地局Ｂ（情報配信装置）と当該サービスを受ける無線通信端末Ｔ（例えば携帯電話機等）とで構成された無線通信システムを示すブロック図である。
【００１５】
この図に示すように、基地局Ｂは、無線通信部１、ユーザ認証部２、認証情報データベース３、視聴用鍵生成部４、継続利用鍵生成部５、記憶部６、暗号化部７、コンテンツ情報格納部８、視聴用鍵配信チャネル選択部９（暗号化情報配信チャネル検出手段）及び通信制御部１０から構成されている。また、無線通信端末Ｔは、無線通信部２０、キー入力部２１、記憶部２２、復号化部２３、音声出力部２４、表示部２５、視聴用鍵配信チャネル検知部２６及び通信制御部２７から構成されている。
【００１６】
基地局Ｂにおいて、無線通信部１は、通信制御部１０による制御の下にマルチキャリア通信方式を用いて無線通信端末Ｔとの間で無線通信を行うものである。ユーザ認証部２は、
通信制御部１０から入力される無線通信端末Ｔの個体情報及び加入者情報（これら個体情報及び加入者情報は、基地局Ｂに対しマルチキャスト配信サービスへの接続要求｛情報配信要求｝を行う際に無線通信端末Ｔから無線通信部１を介して通信制御部１０に送信されたものである）と、認証情報データベース３に記憶されている複数の個体情報及び加入者情報とに基づいて、無線通信端末Ｔを有するユーザがマルチキャスト配信サービスの加入者か否かの認証処理を行い、当該認証処理結果を通信制御部１０に出力する。認証情報データベース３は、事前に複数のユーザ毎に無線通信端末の個体情報及び加入者情報を記憶しており、上記ユーザ認証部２の要求に応じてこれら個体情報及び加入者情報をユーザ認証部２に出力する。
【００１７】
視聴用鍵生成部４は、通信制御部１０の要求に応じて、コンテンツ情報（配信情報）の暗号化及び復号化に用いられる視聴用鍵（暗号化情報）と、当該視聴用鍵の有効期限を示す視聴期限情報とを生成し、これら視聴用鍵及び視聴期限情報を記憶部６及び通信制御部１０に出力すると共に、視聴用鍵を暗号化部７に出力する。継続利用鍵生成部５は、通信制御部１０の要求に応じて、視聴用鍵配信チャネルへのアクセス権を示す継続利用鍵（使用許可情報）と、当該継続利用鍵の有効期限を示す継続利用期限情報とを生成し、これら継続利用鍵及び継続利用期限情報を記憶部６及び通信制御部１０に出力する。記憶部６は、上記視聴用鍵、視聴期限情報、継続利用鍵及び継続利用期限情報を記憶すると共に、通信制御部１０で用いられる制御プログラムやコンテンツ配信チャネルを示す情報（コンテンツ配信チャネル情報）、その他の各種データを記憶する。
【００１８】
暗号化部７は、通信制御部１０の要求に応じて、上記視聴用鍵生成部４から入力される視聴用鍵を用いて、コンテンツ情報格納部８に格納されているコンテンツ情報の暗号化を行い、暗号化されたコンテンツ情報を通信制御部１０に出力する。コンテンツ情報格納部
８は、コンテンツ情報を配信するサーバ（図示せず）からのマルチキャスト配信サービス用の映像や音楽等のコンテンツ情報を格納しており、上記暗号化部７の要求に応じてコンテンツ情報を暗号化部７に出力する。
【００１９】
視聴用鍵配信チャネル選択部９は、通信制御部１０の要求に応じて、記憶部６から視聴用鍵及び継続利用鍵を取得し、これらをパラメータとする視聴用鍵配信チャネル選択アルゴリズムに基づいて、視聴用鍵の配信チャネルを決定（検出）すると共に、視聴用鍵配信チャネル情報を通信制御部１０に出力する。この視聴用鍵配信チャネルは、基地局Ｂの通信エリア内に存在する無線通信端末に共通の通信チャネル（つまりマルチキャストチャネル）である。なお、コンテンツ情報を配信するために使用するコンテンツ配信チャネルもマルチキャストチャネルであるが、上記視聴用鍵配信チャネルとは周波数帯が異なる。
【００２０】
通信制御部１０は、記憶部６に記憶されている制御プログラム及び無線通信部１の通信状態等に基づいて、本基地局Ｂの全体動作を制御するものである。また、この通信制御部１０は、上記制御プログラムに基づく特徴的な制御処理として、ユーザ認証部２による認証処理結果に基づいて、無線通信端末Ｔのユーザがマルチキャスト配信サービスの加入者の場合、視聴用鍵生成部４に対し視聴用鍵及び視聴期限情報の生成を要求すると共に、継続利用鍵生成部５に対し継続利用鍵及び継続利用期限情報の生成を要求し、これらのデータと、記憶部６に記憶されているコンテンツ配信チャネル情報とを、レジストレーションチャネルを用いて無線通信端末Ｔに送信するように無線通信部１を制御する。
【００２１】
一方、ユーザがサービス未加入者であった場合、通信制御部１０は、視聴用鍵生成部４に対し視聴用鍵及び視聴期限情報の生成を要求し、これらのデータとコンテンツ配信チャネル情報とを、レジストレーションチャネルを用いて無線通信端末Ｔに送信するように無線通信部１を制御する。
【００２２】
また、この通信制御部１０は、暗号化部７によって暗号化されたコンテンツ情報を、コンテンツ配信チャネルを用いて無線通信端末Ｔに送信するように無線通信部１を制御する（より詳細には、基地局Ｂの通信エリア内に存在する複数の無線通信端末にコンテンツ情報をマルチキャスト配信する）。さらに、通信制御部１０は、記憶部６に記憶されている視聴期限情報に基づき、視聴用鍵の有効期限が切れると、視聴用鍵生成部４に対して、新たな視聴用鍵及びその視聴期限情報の生成を要求すると共に、視聴用鍵配信チャネル選択部９に対して視聴用鍵配信チャネルを決定するように要求し、当該視聴用鍵配信チャネルを用いて、新たな（つまり更新された）視聴用鍵及びその視聴期限情報を無線通信端末Ｔに送信するように無線通信部１を制御する（より詳細には、基地局Ｂの通信エリア内に存在する複数の無線通信端末に新たな視聴用鍵及びその視聴期限情報をマルチキャスト配信する）。なお、このような通信制御部１０の制御処理についての詳細は後述する。
【００２３】
一方、無線通信端末Ｔにおいて、無線通信部２０は、通信制御部２７による制御の下に基地局Ｂとの間で無線通信を行うものである。キー入力部２１は、ダイヤルキー、ファンクションキー、電源キー等から構成されており、これらキーの操作情報を操作信号として通信制御部２７に出力する。記憶部２２は、無線通信端末Ｔの個体情報及び加入者情報や、通信制御部２７で用いられる制御プログラム、その他の各種データを事前に記憶していると共に、通信制御部２７の要求に応じて、基地局Ｂから送信される視聴用鍵、視聴期限情報、継続利用鍵、継続利用期限情報、コンテンツ配信チャネル情報、コンテンツ情報を記憶する。
【００２４】
復号化部２３は、通信制御部２７の要求に応じて、記憶部２２から視聴用鍵及びコンテンツ情報を取得し、視聴用鍵を用いて暗号化されたコンテンツ情報を復号して通信制御部２７に出力する。音声出力部２４は、通信制御部２７から入力される音声信号に基づいて音声や音楽を外部に出力する。表示部２５は、例えば液晶ディスプレイや有機ＥＬディスプレイ等であり、通信制御部２７から入力される表示信号に基づいて映像等を表示する。
【００２５】
視聴用鍵配信チャネル検知部２６は、通信制御部２７の要求に応じて、記憶部２２から視聴用鍵及び継続利用鍵を取得し、これらをパラメータとする視聴用鍵配信チャネル選択アルゴリズムに基づいて、視聴用鍵配信チャネルを検知すると共に、視聴用鍵配信チャネル情報を通信制御部２７に出力する。つまり、無線通信端末Ｔ側では、基地局Ｂが決定する視聴用鍵配信チャネルと同一の通信チャネルを検知する。
【００２６】
通信制御部２７は、記憶部２２に記憶されている制御プログラム、キー入力部２１から入力される操作信号及び無線通信部２０の通信状態等に基づいて、無線通信端末Ｔの全体動作を制御するものである。また、この通信制御部２７は、基地局Ｂに対しマルチキャスト配信サービスへの接続要求を行う際に、記憶部２２に記憶されている個体情報及び加入者情報を、レジストレーションチャネルを用いて基地局Ｂに送信するように無線通信部２０を制御する。
【００２７】
また、この通信制御部２７は、コンテンツ配信チャネルにアクセスしてコンテンツ情報を基地局Ｂから受信するように無線通信部２０を制御すると共に、取得したコンテンツ情報の復号を復号化部２３に要求し、当該復号化部２３によって復号されたコンテンツ情報に基づいて、音声信号や表示信号を生成し、音声出力部２４、表示部２５に出力する。
さらに、通信制御部２７は、記憶部２２に記憶されている視聴期限情報に基づき、視聴用鍵の有効期限が切れると、視聴用鍵配信チャネル検知部２６に対して視聴用鍵配信チャネルを検知するように要求し、当該視聴用鍵配信チャネルにアクセスして、新たな視聴用鍵及びその視聴期限情報を基地局Ｂから受信するように無線通信部２０を制御する。
【００２８】
次に、このような基地局Ｂ及び無線通信端末Ｔで構成された無線通信システムの動作について、図２及び３のフローチャートを用いて説明する。
【００２９】
〔ユーザがサービス加入者の場合〕
始めに、図２のフローチャートを用いて、無線通信端末Ｔのユーザがサービス加入者、つまり課金ユーザであった場合（特定の無線通信端末Ｔの場合）の動作について説明する。なお、ユーザは予めマルチキャスト配信サービスを行っているプロバイダに有料配信サービスへの加入料を支払い、課金ユーザであることを証明する加入者情報を取得しているものとする（この加入者情報は記憶部２２に記憶されている）。
【００３０】
まず、無線通信端末Ｔの通信制御部２７は、キー入力部２１から入力される操作信号に基づいて、ユーザからのマルチキャスト配信サービスへの接続指示を検知すると、記憶部２２に記憶されている個体情報及び加入者情報を取得し、これらのデータをレジストレーションチャネルを用いて基地局Ｂに送信するように無線通信部２０を制御し、基地局Ｂに対してマルチキャスト配信サービスへの接続要求を行う（ステップＳ１）。
【００３１】
基地局Ｂの無線通信部１にて受信された上記個体情報及び加入者情報は、通信制御部１０を介してユーザ認証部２に出力される。そして、ユーザ認証部２は、認証情報データベース３に記憶されている複数の個体情報及び加入者情報と、無線通信端末Ｔの個体情報及び加入者情報とに基づいて、基地局Ｂにアクセスしてきたユーザがマルチキャスト配信サービスの加入者（課金ユーザ）か否かの認証処理を行い、当該認証処理結果を通信制御部１０に出力する（ステップＳ２）。ここで、ユーザは加入者情報を有しているので、サービス加入者であると認証される。
【００３２】
通信制御部１０は、ユーザはサービス加入者であるとの認証処理結果に基づいて、視聴用鍵生成部４に対して視聴用鍵及びその有効期限を示す視聴期限情報の生成を要求し、また、継続利用鍵生成部５に対して継続利用鍵及びその有効期限を示す継続利用期限情報の生成を要求する（ステップＳ３）。視聴用鍵生成部４は、通信制御部１０の要求に応じて、視聴用鍵及び視聴期限情報を生成して記憶部６及び通信制御部１０に出力すると共に、視聴用鍵を暗号化部７に出力する。また、継続利用鍵生成部５は、通信制御部１０の要求に応じて、継続利用鍵及び継続利用期限情報を生成して記憶部６及び通信制御部１０に出力する。なお、視聴用鍵の有効期限は、無料でコンテンツ情報を視聴可能な期間（例えば３分）に設定され、また、継続利用鍵の有効期限は、有料でコンテンツ情報を視聴可能な期間（例えば１週間）に設定される。
【００３３】
そして、通信制御部１０は、記憶部６からコンテンツ配信チャネル情報を取得し、当該コンテンツ配信チャネル情報と、上記視聴用鍵、視聴期限情報、継続利用鍵及び継続利用期限情報とをレジストレーションチャネルを用いて無線通信端末Ｔに送信するように無線通信部１を制御する（ステップＳ４）。
【００３４】
続いて、通信制御部１０は、暗号化部７に対してコンテンツ情報格納部８に格納されているコンテンツ情報の暗号化を行うように要求する（ステップＳ５）。暗号化部７は、通信制御部１０の要求に応じて、視聴用鍵生成部４から入力される視聴用鍵を用いてコンテンツ情報の暗号化を行い、暗号化されたコンテンツ情報を通信制御部１０に出力する。通信制御部１０は、暗号化されたコンテンツ情報を、マルチキャストチャネルであるコンテンツ配信チャネルを用いて無線通信端末Ｔに送信するように無線通信部１を制御する（ステップＳ６）。つまり、コンテンツ情報は基地局Ｂの通信エリアに存在する複数の無線通信端末にマルチキャスト配信される。
【００３５】
一方、無線通信端末Ｔにおいて、通信制御部２７は、無線通信部２０を介して基地局Ｂから取得した視聴用鍵、視聴期限情報、継続利用鍵、継続利用期限情報及びコンテンツ配信チャネル情報を記憶部２２に記憶する。そして、通信制御部２７は、コンテンツ配信チャネル情報に基づいて、コンテンツ配信チャネルにアクセスしてコンテンツ情報を受信するように無線通信部２０を制御する。
【００３６】
通信制御部２７は、無線通信部２０を介してコンテンツ情報を取得すると、記憶部２２に記憶すると共に、復号化部２３に対してコンテンツ情報を復号するように要求する（ステップＳ７）。復号化部２３は、通信制御部２７の要求に応じて、記憶部２２から視聴用鍵及びコンテンツ情報を取得し、視聴用鍵を用いて暗号化されたコンテンツ情報の復号を行い、復号したコンテンツ情報を通信制御部２７に出力する。通信制御部２７は、上記のように復号されたコンテンツ情報に基づいて、音声信号や表示信号を生成し、音声出力部２４、表示部２５に出力する。ユーザは、音声出力部２４から出力される音声や音楽、表示部２５が表示する映像等により、コンテンツ情報の内容を視聴することができる。
【００３７】
続いて、基地局Ｂにおいて、通信制御部１０は視聴期限情報に基づいて、視聴用鍵の有効期限（３分）が経過したか否かを判断する（ステップＳ８）。このステップＳ８において、「NO」、つまり視聴用鍵の有効期限が経過していない場合、通信制御部１０はステップＳ５の動作に戻り、また、「YES」、つまり視聴用鍵の有効期限が経過したと判断された場合、視聴用鍵生成部４に対して、新たな視聴用鍵及びその視聴期限情報の生成を要求すると共に（ステップＳ９）、視聴用鍵配信チャネル選択部９に対して視聴用鍵配信チャネルを決定するように要求する（ステップＳ１０）。
【００３８】
視聴用鍵生成部４は、通信制御部１０の要求に応じて、新たな視聴用鍵及びその視聴期限情報を生成して記憶部６及び通信制御部１０に出力すると共に、新たな視聴用鍵を暗号化部７に出力する。視聴用鍵配信チャネル選択部９は、通信制御部１０の要求に応じて、記憶部６から前回の（更新される前の）視聴用鍵及び継続利用鍵を取得し、これらをパラメータとする視聴用鍵配信チャネル選択アルゴリズムに基づいて、更新された視聴用鍵の配信チャネルを決定すると共に、視聴用鍵配信チャネル情報を通信制御部１０に出力する。
なお、継続利用鍵は視聴用鍵配信チャネルへのアクセス権をユーザが有していることを証明するパラメータであり、この継続利用鍵を保持していない場合、視聴用鍵配信チャネルを決定不可能となる。このようにユーザが継続利用鍵を保持していない場合については、後で詳細に説明する。
【００３９】
視聴用鍵配信チャネルは、コンテンツ配信チャネルとは周波数帯の異なるマルチキャストチャネルであり、その決定時において基地局Ｂの通信エリア内で使用されていない通常通信用のチャネルが選ばれる。従って、視聴用鍵配信チャネルは固定化されたチャネルではなく、通信エリア内での通信状況によって変化するものである。
【００４０】
一方、無線通信端末Ｔの通信制御部２７も、同様に視聴用鍵の有効期限が経過したか否かの判断を行う（ステップ１１）。このステップＳ１１において、視聴用鍵の有効期限が経過していない場合、通信制御部２７はステップＳ７の動作に戻り、また、視聴用鍵の有効期限が経過したと判断された場合、視聴用鍵配信チャネル検知部２６に対して視聴用鍵配信チャネルを検知するように要求する（ステップＳ１２）。視聴用鍵配信チャネル検知部２６は、通信制御部２７の要求に応じて、記憶部２２から視聴用鍵及び継続利用鍵を取得し、これらをパラメータとする視聴用鍵配信チャネル選択アルゴリズムに基づいて、視聴用鍵配信チャネルを検知すると共に、視聴用鍵配信チャネル情報を通信制御部２７に出力する。
【００４１】
このような基地局Ｂ側のステップＳ８〜Ｓ１０の動作と、無線通信端末Ｔ側のステップＳ１１〜Ｓ１２の動作とは、ほぼ同時並行的に行われる。そして、基地局Ｂ及び無線通信端末Ｔ共に、同一の視聴用鍵配信チャネル選択アルゴリズムに基づいて、同一の視聴用鍵配信チャネルを使用する。
【００４２】
そして、基地局Ｂの通信制御部１０は、視聴用鍵配信チャネルを用いて新たな視聴用鍵及びその視聴期限情報を無線通信端末Ｔに送信するように無線通信部１を制御する（ステップＳ１３）。つまり、新たな視聴用鍵及びその視聴期限情報は、基地局Ｂの通信エリアに存在する複数の無線通信端末にマルチキャスト配信される。
【００４３】
無線通信端末Ｔの通信制御部２７は、上記視聴用鍵配信チャネルにアクセスして新たな視聴用鍵及びその視聴期限情報を受信するように無線通信部２０を制御する。通信制御部２７は、無線通信部２０を介して取得した新たな視聴用鍵及びその視聴期限情報を記憶部２２に記憶する。
【００４４】
一方、基地局Ｂの通信制御部１０は、暗号化部７に対して新たな視聴用鍵を用いてコンテンツ情報を暗号化するように要求する（ステップＳ１４）。暗号化部７は、その要求に応じて、視聴用鍵生成部４から入力される新たな視聴用鍵を用いて、コンテンツ情報の暗号化を行い、暗号化されたコンテンツ情報を通信制御部１０に出力する。通信制御部１０は、新たな視聴用鍵で暗号化されたコンテンツ情報を、コンテンツ配信チャネルを用いて無線通信端末Ｔに送信するように無線通信部１を制御する（ステップＳ１５）。
【００４５】
無線通信端末Ｔの通信制御部２７は、コンテンツ配信チャネルにアクセスしてコンテンツ情報を受信するように無線通信部２０を制御する。通信制御部２７は、無線通信部２０を介してコンテンツ情報を取得すると、記憶部２２に記憶すると共に、復号化部２３に対してコンテンツ情報を復号するように要求する（ステップＳ１６）。
【００４６】
復号化部２３は、通信制御部２７の要求に応じて、記憶部２２から新たな視聴用鍵及びコンテンツ情報を取得し、新たな視聴用鍵を用いて暗号化されたコンテンツ情報の復号を行い、復号したコンテンツ情報を通信制御部２７に出力する。通信制御部２７は、上記のように復号されたコンテンツ情報に基づいて、音声信号や表示信号を生成し、音声出力部２４、表示部２５に出力する。
【００４７】
以降、基地局ＢはステップＳ８の動作に戻り、再び視聴用鍵の更新時期がくれば視聴用鍵を更新し、視聴用鍵配信チャネルを用いて新たな視聴用鍵及びその視聴期限情報を無線通信端末Ｔにマルチキャスト配信する。一方、無線通信端末ＴはステップＳ１１の動作に戻り、再び視聴用鍵の更新時期がくれば、視聴用鍵配信チャネルにアクセスして新たな視聴用鍵及びその視聴期限情報を受信する。このように、視聴用鍵が更新された場合でも、課金ユーザは継続的にコンテンツ情報を視聴することが可能である。
【００４８】
なお、図２には示していないが、基地局Ｂは、継続利用期限情報に基づいて継続利用鍵の有効期限（１週間）が経過したと判断した場合、無線通信端末Ｔに対して有料配信サービスの終了を報知するメッセージを送信する。一方、無線通信端末Ｔ側では、継続利用鍵の有効期限（１週間）が経過した場合、継続利用鍵が使用不可状態となり、視聴用鍵配信チャネルにアクセスして新たな視聴用鍵を取得することできず、コンテンツ情報の復号が不可能になる。このように継続利用鍵の有効期限が経過した場合、ユーザは再度マルチキャスト配信サービスを行っているプロバイダに有料配信サービスへの加入料を支払って新たな加入者情報を取得し、基地局Ｂとの認証処理を行うことによって新たな継続利用鍵を取得してコンテンツ情報の視聴を行うことができる。
【００４９】
〔ユーザがサービス未加入者の場合〕
次に、図３のフローチャートを用いて、無線通信端末Ｔのユーザがサービス未加入者、つまり非課金ユーザであった場合の動作について説明する。なお、この場合、ユーザは課金ユーザであることを証明する加入者情報を取得していないものとする（無線通信端末Ｔの記憶部２２に記憶されていない）。
【００５０】
まず、無線通信端末Ｔの通信制御部２７は、キー入力部２１から入力される操作信号に基づいて、ユーザからのマルチキャスト配信サービスへの接続指示を検知すると、記憶部２２に記憶されている個体情報を取得し、これらのデータをレジストレーションチャネルを用いて基地局Ｂに送信するように無線通信部２０を制御し、基地局Ｂに対してマルチキャスト配信サービスへの接続要求を行う（ステップＳ２０）。
【００５１】
基地局Ｂの無線通信部１にて受信された上記個体情報は、通信制御部１０を介してユーザ認証部２に出力される。そして、ユーザ認証部２は、認証情報データベース３に記憶されている複数の個体情報及び加入者情報と、無線通信端末Ｔの個体情報とに基づいて、基地局Ｂにアクセスしてきたユーザがマルチキャスト配信サービスの加入者（課金ユーザ）か否かの認証処理を行い、当該認証処理結果を通信制御部１０に出力する（ステップＳ２１）。ここで、無線通信端末Ｔから加入者情報が送信されないので、ユーザ認証部２は、ユーザはサービス未加入者（非課金ユーザ）であると認証する。
【００５２】
通信制御部１０は、ユーザはサービス未加入者であるとの認証処理結果に基づいて、視聴用鍵生成部４に対して視聴用鍵及びその有効期限を示す視聴期限情報の生成を要求する（ステップＳ２２）。なお、ユーザがサービス未加入者である場合、通信制御部１０は、継続利用鍵生成部５に対して継続利用鍵及びその有効期限を示す継続利用期限情報の生成を要求しない。
【００５３】
視聴用鍵生成部４は、通信制御部１０の要求に応じて、視聴用鍵及び視聴期限情報を生成して記憶部６及び通信制御部１０に出力すると共に、視聴用鍵を暗号化部７に出力する。なお、視聴用鍵の有効期限は、無料でコンテンツ情報を視聴可能な期間（例えば３分）に設定される。
【００５４】
そして、通信制御部１０は、記憶部６からコンテンツ配信チャネル情報を取得し、当該コンテンツ配信チャネル情報と、上記視聴用鍵及び視聴期限情報をレジストレーションチャネルを用いて無線通信端末Ｔに送信するように無線通信部１を制御する（ステップＳ２３）。
【００５５】
続いて、通信制御部１０は、暗号化部７に対してコンテンツ情報格納部８に格納されているコンテンツ情報の暗号化を行うように要求する（ステップＳ２４）。暗号化部７は、通信制御部１０の要求に応じて、視聴用鍵生成部４から入力される視聴用鍵を用いてコンテンツ情報の暗号化を行い、暗号化されたコンテンツ情報を通信制御部１０に出力する。通信制御部１０は、暗号化されたコンテンツ情報を、マルチキャストチャネルであるコンテンツ配信チャネルを用いて無線通信端末Ｔに送信するように無線通信部１を制御する（ステップＳ２５）。
【００５６】
一方、無線通信端末Ｔにおいて、通信制御部２７は、無線通信部２０を介して基地局Ｂから取得した視聴用鍵、視聴期限情報及びコンテンツ配信チャネル情報を記憶部２２に記憶する。そして、通信制御部２７は、コンテンツ配信チャネル情報に基づいて、コンテンツ配信チャネルにアクセスしてコンテンツ情報を受信するように無線通信部２０を制御する。
【００５７】
通信制御部２７は、無線通信部２０を介してコンテンツ情報を取得すると、記憶部２２に記憶すると共に、復号化部２３に対してコンテンツ情報を復号するように要求する（ステップＳ２６）。復号化部２３は、通信制御部２７の要求に応じて、記憶部２２から視聴用鍵及びコンテンツ情報を取得し、視聴用鍵を用いて暗号化されたコンテンツ情報の復号を行い、復号したコンテンツ情報を通信制御部２７に出力する。通信制御部２７は、上記のように復号されたコンテンツ情報に基づいて、音声信号や表示信号を生成し、音声出力部２４、表示部２５に出力する。非課金ユーザは、音声出力部２４から出力される音声や音楽、表示部２５が表示する映像等により、コンテンツ情報の内容を視聴することができる。
【００５８】
続いて、基地局Ｂにおいて、通信制御部１０は視聴期限情報に基づいて、視聴用鍵の有効期限（３分）が経過したか否かを判断する（ステップＳ２７）。このステップＳ２７において、「NO」、つまり視聴用鍵の有効期限が経過していない場合、通信制御部１０はステップＳ２４の動作に戻り、また、「YES」、つまり視聴用鍵の有効期限が経過したと判断された場合、視聴用鍵生成部４に対して、新たな視聴用鍵及びその視聴期限情報の生成を要求すると共に（ステップＳ２８）、視聴用鍵配信チャネル選択部９に対して視聴用鍵配信チャネルを決定するように要求する（ステップＳ２９）。
【００５９】
視聴用鍵生成部４は、通信制御部１０の要求に応じて、新たな視聴用鍵及びその視聴期限情報を生成して記憶部６及び通信制御部１０に出力すると共に、新たな視聴用鍵を暗号化部７に出力する。視聴用鍵配信チャネル選択部９は、通信制御部１０の要求に応じて、記憶部６から更新される前の視聴用鍵及び継続利用鍵を取得し、これらをパラメータとする視聴用鍵配信チャネル選択アルゴリズムに基づいて、更新された視聴用鍵の配信チャネルを決定すると共に、視聴用鍵配信チャネル情報を通信制御部１０に出力する。ここで使用される継続利用鍵は、他の課金ユーザに配信されたものである。
【００６０】
一方、無線通信端末Ｔの通信制御部２７も、同様に視聴用鍵の有効期限切れの判断を行う（ステップ３０）。このステップＳ３０において、視聴用鍵の有効期限が経過していない場合、通信制御部２７はステップＳ２６の動作に戻り、また、視聴用鍵の有効期限が経過したと判断された場合、視聴用鍵配信チャネル検知部２６に対して視聴用鍵配信チャネルを決定するように要求する（ステップＳ３１）。視聴用鍵配信チャネル検知部２６は、通信制御部２７の要求に応じて、記憶部２２から視聴用鍵を取得し、視聴用鍵配信チャネル選択アルゴリズムに基づいて視聴用鍵配信チャネルの検知を試みるが、継続利用鍵が存在しないため、視聴用鍵配信チャネルの決定不可を示す視聴用鍵配信チャネル情報を通信制御部２７に出力する。
【００６１】
このような基地局Ｂ側のステップＳ２７〜Ｓ２９の動作と、無線通信端末Ｔ側のステップＳ３０〜Ｓ３１の動作とは、ほぼ同時並行的に行われる。そして、基地局Ｂ側では、視聴用鍵配信チャネルの決定が行われるが、非課金ユーザである無線通信端末Ｔ側では視聴用鍵配信チャネルの検知は行われない。
【００６２】
そして、基地局Ｂの通信制御部１０は、視聴用鍵配信チャネルを用いて新たな視聴用鍵及びその視聴期限情報を無線通信端末Ｔに送信するように無線通信部１を制御する（ステップＳ３２）。つまり、新たな視聴用鍵及びその視聴期限情報は、基地局Ｂの通信エリアに存在する複数の無線通信端末にマルチキャスト配信され、課金ユーザのみが新たな視聴用鍵及びその視聴期限情報を取得できる。
【００６３】
一方、非課金ユーザである無線通信端末Ｔの通信制御部２７は、上記視聴用鍵配信チャネルにアクセスできず、新たな視聴用鍵及びその視聴期限情報を取得できない。
このように、非課金ユーザは、視聴用鍵の有効期限である３分間のみ無料でコンテンツ情報を視聴可能であるが、３分間を経過すると新たな視聴用鍵を取得することができず、
以降のコンテンツ情報を取得しても復号して視聴することが不可能となる。
【００６４】
また、基地局Ｂ側において、アクセスしてきた非課金ユーザの無線通信端末Ｔの個体情報を記憶しておき、一度視聴用鍵を配信した非課金ユーザが再度アクセスしてきた場合には、認証処理の時点で視聴用鍵を送信しないようにする機能を備えることが望ましい。
【００６５】
以上のように、本実施形態によれば、更新された視聴用鍵を、課金ユーザのみがアクセス可能な視聴用鍵配信チャネルを用いて配信し、且つ視聴用鍵配信チャネルを通信エリア内の通信状態に応じて逐次変化させることによって安全性を向上することが可能である。また、視聴用鍵配信チャネルはマルチキャストチャネルであるため、視聴用鍵をマルチキャスト配信することにより、無線資源の効率利用と安全性向上とを両立することが可能である。さらに、本実施形態によれば、非課金ユーザに対して無料視聴サービスを容易に提供することが可能となる。
【００６６】
なお、上記実施形態では、マルチキャスト配信サービスを行う無線通信システムを例示して説明したが、これに限定されず、ブロードキャスト配信サービスを行う無線通信システムにも同様に適用可能である。
【図面の簡単な説明】
【００６７】
【図１】本発明の一実施形態に係る無線通信システムの構成ブロック図である。
【図２】本発明の一実施形態に係る無線通信システムの動作を示す第１のフローチャートである。
【図３】本発明の一実施形態に係る無線通信システムの動作を示す第２のフローチャートである。
【符号の説明】
【００６８】
Ｂ…基地局、１…無線通信部、２…ユーザ認証部、３…認証情報データベース、４…視聴用鍵生成部、５…継続利用鍵生成部、６…記憶部、７…暗号化部、８…コンテンツ情報格納部、９…視聴用鍵配信チャネル選択部、１０…通信制御部、Ｔ…無線通信端末、２０…無線通信部、２１…キー入力部、２２…記憶部、２３…復号化部、２４…音声出力部、２５…表示部、２６…視聴用鍵配信チャネル検知部、２７…通信制御部
【図１】
2007180659.tif 000003
【図２】
2007180659.tif 000004
【図３】
2007180659.tif 000005